【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】  各々複数の垂直方向に間隔をおいた横桟（２９）によって連結された第１及び第２の垂直な部材（１７，１８；１９，２０）からなる少なくとも２個の垂直方向に延びるスラット支持ラダー（５，７）と、
各々のスラットが上記第１及び第２の垂直な部材（１７，１８；１９，２０）の間にあって、各々の上記ラダーの一方の上記横桟（２９）に支持された複数の水平方向に配置されたスラット（１３）と、
上記ラダーの第１及び第２の垂直な部材を相対する垂直方向に移動させることにより各々の上記スラットを縦方向の軸を中心として共通に回動させるための調節機構（９，１１）と、
１つのラダー（５，７）の第１の垂直な部材（１７，１９）に近接していて１つの方向に垂直方向に移動できる垂直方向に延びる補助傾動コード（１４，１５）と、
上記近接する第１の垂直な部材（１７，１９）を上記補助傾動コード（１４，１５）の上記方向への垂直な移動とともに上記方向に垂直に長さ方向の中間の位置に移動させて、上記第１の垂直な部材（１７，１９）に連結された横桟（２９）の部分の上記中間の位置の上側または下側での回動角度を調節するようにするための係合手段（２１，２１Ａ，２１Ｂ，２３，２３Ａ，２３Ｂ，２５，２５Ａ，２５Ｂ）と、
を含み、上記係合手段が上記第１の垂直な部材（１７，１９）上のガイディングループ（２１，２１Ａ，２１Ｂ）と、該ガイディングループから垂直方向に間隔をおいていて上記補助傾動コード（１４，１５）に取り付けられたビード（２３，２３Ａ，２３Ｂ）と、上記ガイディングループ（２１，２１Ａ，２１Ｂ）と上記ビード（２３，２３Ａ，２３Ｂ）との間で上記補助傾動コード（１４，１５）に摺動可能に配置された係合カラー（２５，２５Ａ，２５Ｂ）とを含み、上記補助傾動コード（１４，１５）が上記ガイディングループ（２１，２１Ａ，２１Ｂ）を通って延び、上記ビード（２３，２３Ａ，２３Ｂ）が上記係合カラー（２５，２５Ａ，２５Ｂ）に係合しその後上記補助傾動コード（１４，１５）が垂直に上記方向に移動した時に上記係合カラー（２５，２５Ａ，２５Ｂ）を上記ガイディングループ（２１，２１Ａ，２１Ｂ）に向けて移動させるようにしてあり、上記係合カラー（２５，２５Ａ，２５Ｂ）は上記補助傾動コードがさらに垂直方向に上記方向に移動した時に上記係合カラーに係合するようにしてなることを特徴とするベネチアンブラインド。
【請求項２】  上記ビード（２３，２３Ａ，２３Ｂ）及び上記係合カラー（２５，２５Ａ，２５Ｂ）が上記ガイディングループ（２１，２１Ａ，２１Ｂ）の下側にあり、上記補助傾動コード（１４，１５）が上記中間の位置より下側の上記第１の垂直な部材（１７，１９）に連結された横桟（２９）の部分の回動角度を調節するように上方に移動させられることを特徴とする請求項１に記載のベネチアンブラインド。
【請求項３】  少なくとも２本の垂直方向に延びる補助傾動コードを含み、その各々が上記ラダーの１つの第１の垂直な部材（１７，１９）のに近接しており、上記係合手段が各々の上記補助傾動コード及び各々の上記近接する第１の垂直な部材にあることを特徴とする請求項１または２に記載のベネチアンブラインド。
【請求項４】  上記ビード（２３，２３Ａ，２３Ｂ）が上記係合カラー（２５，２５Ａ，２５Ｂ）に係合していず、それによって上記ガイディングループ（２１，２１Ａ，２１Ｂ）を通って垂直方向に移動しなくされている場合に、上記ビード（２３，２３Ａ，２３Ｂ）が上記補助傾動コード（１４，１５）の垂直方向への移動とともに上記ガイディングループ（２１，２１Ａ，２１Ｂ）を通って垂直方向に妨げられずに移動するようにしてなることを特徴とする請求項１−３のいずれかに記載のベネチアンブラインド。
【請求項５】  上記近接する第１の垂直な部材の方向に規則的に間隔をおいていて、上記横桟の垂直方向の間隔の整数倍の値となる垂直方向の間隔をその間に有する複数の上記ガイディングループ（２１，２１Ａ，２１Ｂ）を含むことを特徴とする請求項４に記載のベネチアンブラインド。
【請求項６】  上記補助傾動コード（１４，１５）の方向に規則的に間隔をおいていて、上記ガイディングループ（２１，２１Ａ，２１Ｂ）の垂直方向の間隔よりわずかに小さい寸法の整数倍となる垂直方向の間隔をその間に有する複数の上記ビード（２３，２３Ａ，２３Ｂ）を含むことを特徴とする請求項５に記載のベネチアンブラインド。
【請求項７】  選択された隣接する対をなす上記複数のガイディングループ（２１，２１Ａ，２１Ｂ）の間の上記補助傾動コード（１４，１５）の方向に規則的に間隔をおいた複数の上記係合カラー（２５，２５Ａ，２５Ｂ）を含み、それによって上記近接する第１の垂直な部材の方向に５個の横桟（２９）毎に高々１個の係合カラー（２５，２５Ａ，２５Ｂ）があるようにしたことを特徴とする請求項６に記載のベネチアンブラインド。
【請求項８】  上記係合カラー（２５，２５Ａ，２５Ｂ）が上記補助傾動コード及び上記近接する第１の垂直な部材の周りに摺動可能に配置されていることを特徴とする請求項７に記載のベネチアンブラインド。
【請求項９】  各々の上記横桟及び各々の上記スラットを共通に回動させるために配置された調節機構と、
上記補助傾動コードに取り付けられ、上記ラダーの上記第１及び第２の垂直な部材を垂直に反対方向に移動させた後でのみ上記補助傾動コード（１４，１５）を巻き取るための巻き取りドラムからなる、上記補助傾動コード（１４，１５）を上記方向に垂直に移動せしめるための操作手段と、
を特徴とする請求項１−８のいずれかに記載のベネチアンブラインド。
【請求項１０】  上記係合手段が上記中間の位置より下側の上記第１の垂直な部材に連結された横桟の部分の角度位置を調節するように上記補助傾動コード（１４，１５）を移動させられるようにしたことを特徴とする請求項９に記載のベネチアンブラインド。
【請求項１１】  各々の補助傾動コードが上記ラダーの１つの第１の垂直な部材に近接した少なくとも２つの垂直方向に延びる補助傾動コードを含み、上記係合手段が各々の上記補助傾動コード及び各々の上記近接する第１の垂直な部材上にあるようにしたことを特徴とする請求項９または１０に記載のベネチアンブラインド。
【請求項１２】  上記操作手段が、各々上記調節機構に連結され、各々上記調節機構が上記ラダーの第１及び第２の垂直な部材を相対する垂直な方向に移動させた後にだけ１本の上記補助傾動コードを巻き取るようにした、少なくとも２つの巻き取りドラムからなることを特徴とする請求項１１に記載のベネチアンブラインド。
【請求項１３】  上記調節機構が上記横桟を全て上記２つの相対する方向の１つの方向に十分に回動させるように上記ラダーの第１及び第２の垂直な部材を相対する垂直な方向移動させた後にだけ各々の巻き取りドラムが１本の上記補助傾動コードを巻き取るようにしたことを特徴とする請求項１２に記載のベネチアンブラインド。
【請求項１４】  上記調節機構が各々の上記ラダーの上記第１及び第２の垂直な部材を巻き取るためのプーリーからなることを特徴とする請求項９−１３のいずれかに記載のベネチアンブラインド。
【請求項１５】  上記調節機構が各々の上記ラダーの上記第１または第２の垂直な部材を巻き取るための少なくとも２つのプーリーからなり、各々のプーリーが１つの上記巻き取りドラムに連結されていることを特徴とする請求項１２または１３に記載のベネチアンブラインド。
【請求項１６】  上記係合手段が、上記横桟（２９）に近接した上記補助傾動コード（１４，１５）及び上記近接した第１の垂直な部材（１７，１９）の周りに摺動可能に配置された係合カラー（２５，２５Ａ，２５Ｂ）と、上記補助傾動コード（１４，１５）上に固定され上記係合カラー（２５，２５Ａ，２５Ｂ）から垂直方向に間隔をおいたビード（２３，２３Ａ，２３Ｂ）とを含み、上記ビード（２３，２３Ａ，２３Ｂ）は上記係合カラー（２５，２５Ａ，２５Ｂ）に係合し上記補助傾動コード（１４，１５）が上記方向に垂直に移動した時上記係合カラー（２５，２５Ａ，２５Ｂ）を上記近接した横桟（２９）の一に向かって動かすようになされており、さらに、上記係合カラー（２５，２５Ａ，２５Ｂ）は上記補助傾動コード（１４，１５）が上記方向に垂直にさらに移動すると上記横桟（２９）に係合するようになされていることを特徴とする請求項９−１５のいずれかに記載のベネチアンブラインド。
【請求項１７】  上記係合カラー（２５，２５Ａ，２５Ｂ）は一対の上記垂直方向に間隔をおいた横桟（２９）の間にあり、上記補助傾動コード（１４，１５）は上記中間位置の下方で上記第１の垂直な部材（１７，１８）に接続された上記横桟（２９）の部分の回動角度を調節するように上方に移動可能になされていることを特徴とする請求項１６に記載のベネチアンブラインド。
【請求項１８】  各々のラダーが複数の垂直に間隔をおいた横桟（２９）によって連結された第１及び第２の垂直な部材（１７，１８；１９，２０）からなる少なくとも２つの垂直に伸長したスラット支持ラダー（５，７）と、
各々のスラットが各々の上記ラダー内の上記横桟の一にかつ上記第１の垂直な部材（１７，１８）と第２の垂直な部材（１９，２０）との間に支持されている複数の水平に配列されたスラット（１３）と、
上記ラダーの上記第１及び第２の垂直な部材を垂直に反対方向に移動せしめることにより上記各々のスラットをその長手方向の軸線の周りに共通に回動させるための調節機構（９，１１）と、
ラダー（５，７）の第１の垂直な部材（１７，１９）に近接していて一方向に垂直に移動し得る垂直方向に伸長した補助傾向コード（１４，１５）と、
上記補助傾動コード（１４，１５）及び上記ラダーの上記近接した第１の垂直な部材（１７，１９）上にあって、上記近接する第１の垂直な部材（１７，１９）を上記補助傾動コードの上記方向への垂直な移動とともに上記方向に垂直に長さ方向の中間位置に移動させて、上記第１の垂直な部材に連結された横桟（２９）の部分の上記中間の位置の上側または下側での回動角度を調節するようにするための係合手段（２１，２１Ａ，２１Ｂ，２３，２３Ａ，２３Ｂ，２５，２５Ａ，２５Ｂ）と、
を具備し、
上記係合手段は、上記横桟（２９）に近接した上記補助傾動コード（１４，１５）及び上記近接した第１の垂直な部材（１７，１９）の周りに摺動可能に配置された係合カラー（２５，２５Ａ，２５Ｂ）と、
上記補助傾動コード（１４，１５）に固定されるとともに上記係合カラー（２５，２５Ａ，２５Ｂ）から垂直方向に間隔をおいているビード（２３，２３Ａ，２３Ｂ）とを含み、上記ビード（２３，２３Ａ，２３Ｂ）が上記係合カラー（２５，２５Ａ，２５Ｂ）に係合してから上記補助傾動コード（１４，１５）が上記方向に垂直に移動した時上記近接した横桟（２９）の一に向かって上記係合カラー（２５，２５Ａ，２５Ｂ）を移動させるようになされており、さらに上記係合カラー（２５，２５Ａ，２５Ｂ）は上記補助傾動コード（１４，１５）が垂直方向にさらに上記方向に移動すると上記横桟（２９）に係合するようになされていることを特徴とするベネチアンブラインド。
【請求項１９】  上記係合カラー（２５，２５Ａ，２５Ｂ）が上記垂直方向に間隔をおいた一対の横桟（２９）の間にあり、また上記補助傾動コード（１４，１５）は上方に移動して、上記中間低位の下方で上記第１の垂直な部材（１７，１８）に接続された上記横桟の部分の回動角度を調節可能であることを特徴とする請求項１８に記載のベネチアンブラインド。
【請求項２０】  各々が上記ラダーの一の第１の垂直な部材に近接した少なくとも２つの垂直に延びた補助傾動コードを有し、上記係合手段が上記補助傾動コードの各々にかつ上記近接した第１の垂直な部材の各々に備えられてなることを特徴とする請求項１９に記載のベネチアンブラインド。
【請求項２１】  上記補助傾動コード（１４，１５）及び上記第１の垂直な部材（１７，１８）の周りに規則的に間隔をおいていて、上記横桟（２９）の垂直方向の間隔に等しい寸法の整数倍の値となる垂直方向の間隔をその間に有する複数の係合カラー（２５，２５Ａ，２５Ｂ）を備えたことを特徴とする請求項１６−２０のいずれかに記載のベネチアンブラインド。
【請求項２２】  上記補助傾動コードの方向に規則的に間隔をおいていて、上記横桟（２９）の垂直方向の間隔よりわずかに小さい寸法の整数倍となる垂直方向の間隔をその間に有する複数のビード（２３，２３Ａ，２３Ｂ）を備えることを特徴とする請求項１６−２１のいずれかに記載のベネチアンブラインド。
【請求項２３】  ５つの横桟（２９）毎に高々１つの係合カラー（２５，２５Ａ，２５Ｂ）を備えてなる請求項１６−２２のいずれかに記載のベネチアンブラインド。